(57)【要約】      （修正有）【課題】畦畔法面や土手の斜面に、工事費が嵩まない簡易な手段によって草刈りや植栽管理等の作業を行うための足場となる犬走りを設けることができるようにすると同時に、雑草が生えず、足で踏まれて崩壊するおそれがなく、雨水の浸食作用で消失するおそれもない安全性と耐久性に優れた犬走りを安価に構築できる犬走り構築ユニットを提供する。【解決手段】犬走り構築ユニット１のユニット本体２が、複数の杭打ち穴が設けられた横長な方形の天板部３と、天板部３の片方の長辺に沿って短脚を形成する第１の脚板部４と、天板部３の他方の長辺に沿って長脚を形成する第２の脚板部５とを有する形状に硬質プラスチックで成形され、天板部３に設けた杭打ち穴７から打込む杭によって土の斜面に固定される構成となっていることを特徴とする。【選択図】図１
0003151694.tif 000002
【実用新案登録請求の範囲】
【請求項１】
切土や盛土によって作られた法面等の土の斜面を横切る方向に連なるように設置して、その斜面に犬走りとなる狭幅の小道ないし段部を構築する犬走り構築ユニットであって、人が歩行可能な程度の板幅を有し、長さ方向に沿って複数の杭打ち穴が設けられた横長な方形の天板部と、当該天板部の片方の長辺に沿って短脚を形成する第１の脚板部と、天板部の他方の長辺に沿って長脚を形成する第２の脚板部とが硬質プラスチックで一体的に成形されたユニット本体が、前記杭打ち穴から打込む杭によって土の斜面に固定される構成となっていることを特徴とする犬走り構築ユニット。
【請求項２】
前記天板部の短辺側に、当該天板部や前記第１及び第２の脚板部と一体的に成形された一対の端板部が形成され、当該端板部は、その下端が、第１の脚板部と第２の脚板部の下端間を結ぶ線上に沿うように４０〜５０°程度傾斜した形状となっている請求項１記載の犬走り構築ユニット。
【請求項３】
前記第１及び第２の脚板部の下端に、土の斜面に突き刺さる複数のアンカー突起が下方に突出するように形成されると共に、当該アンカー突起が土の斜面に突き刺さる深さを規制するストッパとなるフランジが側方に突出するように形成されている請求項１又は２記載の犬走り構築ユニット。
【請求項４】
前記第１の脚板部の下端に形成されるアンカー突起と、前記第２の脚板部の下端に形成されるアンカー突起とが、横方向に齟齬する位置に形成されている請求項３記載の犬走り構築ユニット。
【請求項５】
前記端板部の下端に、土の斜面に突き刺さる複数のアンカー突起が下方に突出するように形成されている請求項２、３又は４記載の犬走り構築ユニット。
【請求項６】
前記端板部に、前記と同型のユニット本体の端板部に形成された前記アンカー突起を差し込んで収容することが可能な鞘状のポケットが形成されている請求項５記載の犬走り構築ユニット。
【請求項７】
前記天板部の裏面から第１及び第２の脚板部の裏面に跨るアーチ状の補強リブが、天板部の長さ方向に沿って複数形成されている請求項１、２、３、４、５又は６記載の犬走り構築ユニット。
【請求項８】
前記天板部の表面に、前記杭打ち穴から打ち込まれた杭の頭部を囲繞するフランジが形成されると共に、当該フランジと略同一の高さを有する多数の滑り止め突起が形成されている請求項１、２、３、４、５、６又は７記載の犬走り構築ユニット。
【請求項９】
前記ユニット本体が、硬質の廃プラスチックをリサイクルした再生プラスチックで全長約９００〜１２００ｍｍに成形されている請求項１、２、３、４、５、６、７又は８記載の犬走り構築ユニット。
【考案の詳細な説明】
【技術分野】
【０００１】
本考案は、切土や盛土によって作られた法面や土手などの斜面に、雑草の草刈りや植栽管理等の作業を行う際の足場となるような狭幅の小道ないし段部を構築するために用いる犬走り構築ユニットに関する。
【背景技術】
【０００２】
水田の畦畔に雑草が生い茂ると、稲に被害を及ぼすウンカ、カメムシ、キリウジガガンボなどの害虫の温床となるおそれがあるので、畦畔を管理する農業従事者は、畦畔の法面や土手などに生えた雑草を刈り払う草刈り作業を行うが、草丈が２〜４ｍにもなるセイタカアワダチソウやオオブタクサなどの雑草は、生長が早くて繁殖力が強く、刈り払っても直ぐに新芽・脇芽が生長して大きな群落を作るため、草刈り作業は、田植え時期から稲刈りまでの間に５〜６回程度行う必要がある。
【０００３】
しかし、中山間棚田地帯の畦畔法面などは、急勾配の斜面となっているから、その斜面を横歩きしたり、斜面に突っ立って、総重量が８〜１０Ｋｇ以上もあるエンジン搭載の草刈り機・刈り払い機を操作する作業は、労力の負担が大きく、足を滑らせて転倒したり滑落する危険がある。特に、中山間地域では、基盤整備によって長さ数十〜百メートル以上の大規模な畦畔法面が造成されており、その法面は斜度４０〜５０°程度の急勾配であるうえに、農業従事者の高齢化が進行しているから、法面の草刈り作業は、非常に過酷なものとなり、滑落事故を生ずる危険性も高い。したがって、大規模な畦畔法面における草刈り作業の労力を軽減し、滑落事故を防止するために、その法面を横切るように草刈り作業の足場となる狭幅の小道ないし段部を設けることが望まれている。
【０００４】
法面などの斜面を横切るように設ける狭幅の小道・段部は、一般に犬走りと称されており（特許文献１参照）、従来は、例えば図６に示すように、下段の水田５１と上段の水田５２との間の境界を画する畦畔法面５３を横切る方向に沿って、狭幅作業道造成機で幅２５ｃｍ程度の犬走りとなる小道ないし段部５４、５４を法面５３の上下方向に草刈り機・刈り払い機の刈刃が届く１．５〜２ｍ程度の間隔で造成することとしている。
【０００５】
しかしながら、狭幅作業道造成機による段部５４の造成工事は、その工事費が嵩むという問題がある。また、狭幅作業道造成機で法面５３の土の一部を削り取って造成された段部５４は、エッジＥの部分を足で踏むと、その部分の土が崩落・崩壊して足を滑らせる危険がある。また、時間が経過すると、段部５４に雑草が生えて、その段部５４を作業の足場としたり作業道として使用することが困難になったり、段部５４のエッジＥ側が雨水で浸食されて、その段部５４の幅が作業の足場とすることができないほど狭小化するおそれがある。更に、豪雨のときは、法面５３を滝のように流れ落ちる大量の雨水による浸食作用で段部５４が消失するおそれもある。
【０００６】
そのため、段部５４の表面に沿って木材の板を連ねるように敷設して、その板を杭で固定することも行われているが、狭幅作業道造成機による段部５４の造成工事に加えて、その段部５４に木材の板を敷設する工事も行うと、工期が長くなり、工事費も著しく高額になる。また、木材の板は、短期間で腐食し、耐久性に欠ける。
【先行技術文献】
【特許文献】
【０００７】
【特許文献１】特開平７−１０９７３６号公報
【考案の概要】
【考案が解決しようとする課題】
【０００８】
本考案は、切土や盛土によって作られた法面や土手などの斜面に、工事費が嵩まない簡易な手段によって草刈りや植栽管理等の作業を行うための足場となる犬走りを設けることができると同時に、雑草が生えず、足で踏まれて崩壊するおそれがなく、雨水の浸食作用で消失するおそれもない安全性と耐久性に優れた犬走りを短い工期で安価に構築できるようにすることを技術的課題としている。
【課題を解決するための手段】
【０００９】
上記課題を解決するために、本考案は、切土や盛土によって作られた法面等の土の斜面を横切る方向に連なるように設置して、その斜面に犬走りとなる狭幅の小道ないし段部を構築する犬走り構築ユニットであって、人が歩行可能な程度の板幅を有し、長さ方向に沿って複数の杭打ち穴が設けられた横長な方形の天板部と、当該天板部の片方の長辺に沿って短脚を形成する第１の脚板部と、天板部の他方の長辺に沿って長脚を形成する第２の脚板部とが硬質プラスチックで一体的に成形されたユニット本体が、前記杭打ち穴から打込む杭によって土の斜面に固定される構成となっていることを特徴とする。
【考案の効果】
【００１０】
本考案の犬走り構築ユニットは、そのユニット本体を、土の斜面に対して、短脚を形成する第１の脚板部が上方側に位置し、長脚を形成する第２の脚板部が下方側に位置するように配置すると共に、土の斜面を横切る方向に連なるように配置して、各ユニット本体の天板部に設けられた杭打ち穴から土の斜面に杭を打ち込むだけの簡易な作業により、犬走りとなる狭幅の小道ないし段部を迅速且つ安価に構築することができる。
【００１１】
また、本考案の犬走り構築ユニットで構築された小道ないし段部は、足で踏まれて崩壊したり、雨水の浸食作用で消失したり、雑草が生えたりするおそれもないから、安全性と耐久性が高く、草刈り作業等の足場や作業道として半永久的に使用することができる。
【図面の簡単な説明】
【００１２】
【図１】本考案の実施例に係る犬走り構築ユニットを平面側から見た斜視図
【図２】本考案の実施例に係る犬走り構築ユニットを底面側から見た斜視図
【図３】本考案の実施例に係る犬走り構築ユニットの梱包方法を示す斜視図
【図４】本考案の実施例に係る犬走り構築ユニットを梱包する際の状態を示す斜視図
【図５】本考案の実施例に係る犬走り構築ユニットの設置状態を示す斜視図
【図６】法面に造成される犬走りの従来例を示す図
【考案を実施するための形態】
【００１３】
本考案に係る犬走り構築ユニットの実施形態は、人が歩行可能な程度の板幅を有し、長さ方向に沿って複数の杭打ち穴が設けられた横長な方形の天板部と、当該天板部の片方の長辺に沿って短脚を形成する第１の脚板部と、天板部の他方の長辺に沿って長脚を形成する第２の脚板部とが硬質の廃プラスチックをリサイクルした安価で地球環境に優しい再生プラスチックで一体的に成形されたユニット本体が、天板部に設けられた杭打ち穴から打込む硬質プラスチック製の杭によって土の斜面に固定される構成となっている。
【００１４】
ユニット本体は、天板部の短辺側に、その天板部や第１及び第２の脚板部と一体的に成形された一対の端板部が形成され、当該端板部は、その下端側が、第１の脚板部と第２の脚板部の下端間を結ぶ線上に沿うように４０〜５０°程度傾斜した形状となっている。また、天板部の裏面から第１及び第２の脚板部の裏面に跨るアーチ状の補強リブが、天板部の長さ方向に沿って一定の間隔で複数形成されている。また、ユニット本体は、全長約９００〜１２００ｍｍ、幅約１１０〜１５０ｍｍのサイズに形成され、第１の脚板部の板幅は約４０〜６０ｍｍ、第２の脚板部の板幅は約１５０〜２００ｍｍに選定されている。
【００１５】
また、第１及び第２の脚板部の下端には、土の斜面に突き刺さる複数のアンカー突起が下方に突出するように形成されると共に、それらアンカー突起が土の斜面に突き刺さる深さを規制するためのストッパとなるフランジが側方に突出するように形成されている。また、端板部の下端にも、土の斜面に突き刺さる複数のアンカー突起が下方に突出するように形成されている。なお、第１の脚板部の下端に形成されるアンカー突起と、第２の脚板部の下端に形成されるアンカー突起は、互いに相対せずに、横方向に齟齬する位置に形成されている。
【００１６】
また、天板部の短辺側に形成された端板部には、同型のユニット本体の端板部の下端に形成された前記アンカー突起を差し込んで収容する鞘状のポケットが形成されている。
【００１７】
また、天板部の表面には、当該天板部に設けた杭打ち穴から打ち込まれた杭の頭部を囲繞するフランジが形成されると共に、当該フランジと略同一の高さを有する多数の滑り止め突起が形成されている。
【実施例】
【００１８】
図１〜図５に示す実施例の犬走り構築ユニット１は、そのユニット本体２が、硬質プラスチックによって、横長な方形の天板部３と、当該天板部３の片方の長辺に沿って約５０ｍｍの短脚を形成する第１の脚板部４と、天板部３の他方の長辺に沿って約１７０ｍｍの長脚を形成する第２の脚板部５と、下端側が脚板部４及び５の下端間を結ぶ線上に沿うように約４５°傾斜した左右一対の端板部６Ｒ，６Ｌとを有する形状に成形されている。なお、ユニット本体２は、全長約１０００ｍｍ、幅約１４５ｍｍに成形されている。
【００１９】
また、ユニット本体２は、天板部３の長さ方向に沿って３つの杭打ち穴７、７…が等間隔で設けられると共に、天板部３の裏面から短脚の脚板部４と長脚の脚板部５の裏面に跨るアーチ状の補強リブ８、８…が、天板部３の長さ方向に沿って等間隔で複数形成されている。
【００２０】
脚板部４及び５の下端には、夫々土の斜面２０に突き刺さる複数のアンカー突起９、９…及び１０、１０…が下方に突出するように形成されると共に、それらアンカー突起９及び１０が突き刺さる深さを規制するストッパとなるフランジ１１及び１２が側方に突出するように形成されている。なお、短脚の脚板部４に形成されるアンカー突起９、９…と、長脚の脚板部５に形成されるアンカー突起１０、１０…とは、互いに相対せずに、横方向に齟齬する位置に形成されている。
【００２１】
また、端板部６Ｒ及び６Ｌには、約４５°傾斜したその下端に沿って、土の斜面２０に突き刺さる複数のアンカー突起１３、１３…が下方に突出するように形成されると共に、図３の如く、同型の二つのユニット本体２、２を、その一方の脚板部４の下端側と他方の脚板部５の下端側とが対向するように配して、図４の如く互いに重ね合わせたときに、一方の端板部６Ｌ又は６Ｒに形成されたアンカー突起１３、１３…を差し込んで収容することができる鞘状のポケット１４が形成されている。
【００２２】
また、天板部３の表面には、当該天板部３に設けた杭打ち穴７、７…から打ち込まれた各杭１５の頭部１６を囲繞する円筒状のフランジ１８、１８…が形成されると共に、当該フランジ１８、１８…と略同一の高さを有する円柱状の滑り止め突起１９、１９…が散点状に分布するように多数形成されている。
【００２３】
ユニット本体２は、全体が、硬質の廃プラスチックをリサイクルした安価で地球環境に優しい再生プラスチックで一体成形され、天板部３と脚板部４、５と端板部６Ｒ、６Ｌの平均肉厚が約６ｍｍに形成されている。また、ユニット本体２を土の斜面２０に固定する杭１５も、ユニット本体２と同質の再生プラスチックで成形されており、その全長は約４５０ｍｍ、太さは約３０〜３５ｍｍ、頭部１６の外径は約５０ｍｍに形成されている。
【００２４】
しかして、実施例の犬走り構築ユニット１は、図３の如く、一つのユニット本体２を天板部３が下になるように裏返して、その内部に計６本の杭１５、１５…を入れ、その上から、もう一つのユニット本体２を被せると同時に、一方のユニット本体２の端板部６Ｌ（又は６Ｒ）に形成された鞘状のポケット１４に、他方のユニット本体２の端板部６Ｌ（又は６Ｒ）に形成されたアンカー突起１３、１３…を差し込んで、両ユニット本体２、２を図４の如く合体させることにより、６本の杭１５、１５…を収納した直方形の箱型ケースを形成する。
【００２５】
図３の状態から図４の如き箱型ケースを形成すると、犬走り構築ユニット１のユニット本体２とこれを固定する３本の杭１５、１５…を、２セットずつコンパクトに梱包することができるので、輸送・運搬の際の嵩を小さくして、流通コストを大幅に低減することができる。また、ユニット本体２と杭１５とが２セットずつ梱包されたものを、予め、犬走りを構築する法面に沿っておよそ１ｍ間隔で必要数だけ並べて置いておけば、犬走り構築作業の作業能率が著しく向上する。また、ユニット本体２と杭１５を２セットずつ梱包したときの総重量は約６Ｋｇ程度であるから、その持ち運びも容易である。なお、二つのユニット本体２、２を図４の如く合体させて形成される箱型ケース内に６本の杭１５、１５…を収納することが可能な空間を確保するために、ユニット本体２の内側に形成する補強リブ８、８…をアーチ状としている。
【００２６】
また、犬走り構築ユニット１は、そのユニット本体２を、図５の如く土手や畦畔法面などの土の斜面２０に対して、短脚を形成する脚板部４が上方側に位置し、長脚を形成する脚板部５が下方側に位置するように配置すると共に、斜面２０を横切る方向に連なるように配置して、各ユニット本体２、２…の天板部３に設けられた杭打ち穴７、７…から斜面２０に対して杭１５、１５…を打ち込むだけの簡易な作業により、犬走りとなる狭幅の小道ないし段部を迅速且つ安価に構築することができる。
【００２７】
なお、図６の如く畦畔法面５３を狭幅作業道造成機で削り取って例えば全長約１００ｍの段部５４を形成する場合の所要時間は、約３〜４時間程度であるのに対し、ユニット本体２の長さを約１０００ｍｍとした実施例の構築ユニット１を１００セット使用して図４の如き犬走りを約１００ｍ構築する場合の所要時間は、作業員２〜３人で約５〜６時間程度であるから、工期にさほど遜色はなく、工事費は狭幅作業道造成機を用いる場合に比べて著しく低減される。
【００２８】
また、ユニット本体２は、脚板部４のアンカー突起９、９…と、脚板部５のアンカー突起１０、１０…とが、横方向に互いに齟齬する位置に形成されているから、斜面２０の上下方向に多少の凹凸があっても、その凹凸を許容して、斜面２０に対して略均整に設置することができると同時に、天板部３に乗った作業者の荷重によって脚板部４、５が外側又は内側に湾曲するように撓み変形することを防止できるという効果がある。
【００２９】
また、ユニット本体２の全長を９００〜１２００ｍｍの範囲内の約１０００ｍｍとすれば、その重量が嵩まず、持ち運びや取り扱いが容易であると同時に、ユニット本体２を設置する斜面２０が横方向に沿って多少歪んでいても、その歪みを許容して、斜面２０に対して略均整に設置することができる。また、犬走りを１００ｍ構築するために設置すべきユニット本体２の個数が１００個で足りるから、作業効率も良いという利点がある。
【００３０】
また、天板部３の表面には、杭打ち穴７、７…から斜面２０に対して鉛直方向に打ち込まれた各杭１５の頭部１６を囲繞する円筒状のフランジ１８、１８…と略同一の高さを有する円柱状の滑り止め突起１９、１９…が散点状に分布するように多数形成されているから、天板部３の上に乗った作業者が、足を滑らせて天板部３の上から足を踏み外すことが防止されると同時に、杭１５の頭部１６やその頭部１６を囲繞するフランジ１８に蹴躓いて転倒することも防止される。
【産業上の利用可能性】
【００３１】
本考案は、水田畦畔の土手や法面などに、草刈り作業を行う際の足場となる犬走りを低コストで簡易に構築できるようにすると共に、犬走りの安全性と耐久性を飛躍的に向上させるものである。
【符号の説明】
【００３２】
１・・・犬走り構築ユニット
２・・・ユニット本体
３・・・天板部
４・・・第１の脚板部
５・・・第２の脚板部
６Ｒ・・端板部
６Ｌ・・端板部
７・・・杭打ち穴
８・・・補強リブ
９・・・アンカー突起
１０・・・アンカー突起
１１・・・フランジ
１２・・・フランジ
１３・・・アンカー突起
１４・・・鞘状のポケット
１５・・・杭
１６・・・杭の頭部
１８・・・フランジ
１９・・・滑り止め突起
２０・・・土の斜面
【図１】
0003151694.tif 000003
【図２】
0003151694.tif 000004
【図３】
0003151694.tif 000005
【図４】
0003151694.tif 000006
【図５】
0003151694.tif 000007
【図６】
0003151694.tif 000008